(57)【要約】【課題】構造が簡単で軽量であり、更に、不使用時には嵩張ることなくコンパクトに積み重ねができ、取り扱い性が良好で、輸送や保管効率の改善されたロール製品用プロテクターを提供する。【解決手段】帯状製品を芯材に巻回してなるロール製品を輸送、保管するためのプロテクターであって、前記ロール製品の端面を覆って保護する平面視で略円形又は略正多角形の基板部２と、該基板部２の中心付近に前記ロール製品の芯材を挿入可能に穿設された支持孔部３と、前記基板部２の周縁部に略等間隔に内面側に突設された脚部４からなり、前記脚部４は基板部２の外周方向に傾斜した斜面板からなることを特徴とする積み重ね可能なロール製品用プロテクター１である。【選択図】図１
2010241495.tif 000002
【特許請求の範囲】
【請求項１】
帯状製品を芯材に巻回してなるロール製品を輸送、保管するためのプロテクターであって、
前記ロール製品の端面を覆って保護する平面視で略円形又は略正多角形の基板部と、
該基板部の中心付近に前記ロール製品の芯材又は該芯材を支持するための支持部材を挿入可能に穿設された支持孔部と、
前記基板部の周縁部に内面側に突設された脚部からなり、
前記脚部は基板部の外周方向に傾斜した斜面板からなることを特徴とするロール製品用プロテクター。
【請求項２】
基板部の形状が平面視で略正方形、略正５〜８角形のいずれかであり、脚部が基板部の角部から突設されているとともに、脚部の側縁と基板部の辺縁とが同一平面上に形成されており、前記脚部の側縁と基板部の辺縁とで自立可能であることを特徴とする請求項１に記載のロール製品用プロテクター。
【請求項３】
基板部の内面側中央付近に実質的に円錐台状又は多角錘台状の膨出部が設けられるとともに、該基板部の外面側に前記膨出部が受容される受容部が設けられることを特徴とする請求項１又は請求項２に記載のロール製品用プロテクター。
【請求項４】
脚部が略等間隔に突設されていることを特徴とする請求項１〜３のいずれか１項に記載のロール製品用プロテクター。
【請求項５】
帯状製品が電池用セパレートフィルムである請求項１〜４のいずれか１項に記載のロール製品用プロテクター。
【発明の詳細な説明】
【技術分野】
【０００１】
本発明は、帯状製品を芯材に巻回してなるロール製品を輸送、保管するためのロール製品用プロテクターに関し、更に詳しくは、構造が簡単で軽量であり、更に、不使用時には該プロテクターを嵩張ることなくコンパクトに積み重ねることができるロール製品用プロテクターに関する。
【背景技術】
【０００２】
従来より、プラスチックフィルム、プラスチックシート、紙等の帯状製品を輸送、保管する場合には、図１４に示すように、これらの帯状製品Ｒ１を芯材Ｒ２に巻回してロール製品Ｒを形成し、輸送、保管中にロール製品Ｒの周囲が汚れたり傷付いたりするのを防止するため、ロール製品Ｒにロール製品用プロテクター（以下、単にプロテクターと称することがある）Ｐを組み付けて輸送、保管していた。
この従来のプロテクターＰは、方形のベニヤ板製側板Ｐ１の中心付近に設けた軸孔に合成樹脂製でハット型支軸Ｐ２を挿通してなるもので、ロール製品Ｒの両端面を一対の側板Ｐ１で挟持するとともに、頭付支軸Ｐ２を芯材Ｒ２の中空孔に挿入してロール製品Ｒを支持し、必要に応じ、両側板Ｐ１の外側に梱包用バンドＢを十字状に掛けて全体を緊締している。
【０００３】
しかし、上記従来のプロテクターＰによれば、プロテクターＰをロール製品Ｒに組み付ける作業が繁雑であり、また、側板Ｐ１のベニヤ板は耐久性に乏しいため破損しやすく、さらに、前記側板Ｐ１はロール製品Ｒの端面だけを覆い、周面を覆わないので、輸送、保管の際に段積みの位置がずれた場合等には、このプロテクターが隣接するロール製品Ｒの周面に接触したり衝突したりすることがあり、これにより帯状製品Ｒ１の周面が汚染したり破損し、商品価値を著しく減ずるなどの問題がある。
【０００４】
このような問題を解決するため、脚部を有するプロテクターを用い、段積みの位置が少々ずれたとしても、このプロテクターを脚部で支えることによりロール製品の周面を保護するプロテクターが提案されている。このようなロール製品用プロテクターとしては、例えば、内面で前記ロール製品の端面を押さえる方形の基板部と、前記ロール製品の中空心部の中空孔に挿入可能に前記基板部の内面中央に突設したロール製品支持用円筒部と、前記基板部の内面四角に突設した段積み用脚部と、該脚部の先端を挿入可能に前記基板部の表面四角に設けた段積み用凹部とを具備してなる硬質合成樹脂成形体であって、前記基板部の各辺長を前記ロール製品の外径よりも長くするとともに、前記脚部の脚長を前記円筒部の全長よりも長くしたことを特徴とするロール製品用プロテクターがある（特許文献１参照）。
【先行技術文献】
【特許文献】
【０００５】
【特許文献１】実用新案登録第２６０４９０７号公報（図３、図４、図５）
【発明の概要】
【発明が解決しようとする課題】
【０００６】
しかしながら、脚部が設けられた従来のロール製品用プロテクターは、段積み用脚部が、突設した段積み用脚部と該脚部の先端を挿入可能な段積み用凹部とからなり、更に、これらの脚長をロール製品支持用円筒部の全長よりも長くした構成からなるため、構造が複雑となり重量も大きくなるばかりでなく、例えば特許文献１の図６に記載されているように、不使用時にこのプロテクターを積み重ねて収納する際、この脚部が邪魔になり、たとえ積み重ねても脚部の脚長以下にはコンパクトにならず、従って、非常に嵩張り、取り扱い性が悪く、また、輸送や保管に広大なスペースを必要とするという欠点がある。
本発明は、かかる実情に鑑み、従来のプロテクターを改良して、構造が簡単で軽量であり、不使用時に積み重ねても嵩張ることなくコンパクトに積み重ねができ、従って、取り扱い性が良好で、輸送や保管に広大なスペースを必要とせず、輸送効率、保管効率を改善したロール製品用プロテクターを提供することを目的とする。
【課題を解決するための手段】
【０００７】
上記目的を達成するための本発明の請求項１に係る発明は、帯状製品を芯材に巻回してなるロール製品を輸送、保管するためのプロテクターであって、前記ロール製品の端面を覆って保護する平面視で略円形又は略正多角形の基板部と、該基板部の中心付近に前記ロール製品の芯材又は該芯材を支持するための支持部材を挿入可能に穿設された支持孔部と、前記基板部の周縁部に内面側に突設された脚部からなり、前記脚部は基板部の外周方向に傾斜した斜面板からなることを特徴とするロール製品用プロテクターを内容とする。
【０００８】
本発明の請求項２に係る発明は、基板部の形状が平面視で略正方形、略正５〜８角形のいずれかであり、脚部が基板部の角部から突設されているとともに、脚部の側縁と基板部の辺縁とが同一平面上に形成されており、前記脚部の側縁と基板部の辺縁とで自立可能であることを特徴とする請求項１に記載のロール製品用プロテクターを内容とする。
【０００９】
本発明の請求項３に係る発明は、基板部の内面側中央付近に実質的に円錐台状又は多角錘台状の膨出部が設けられるとともに、該基板部の外面側に前記膨出部が受容される受容部が設けられることを特徴とする請求項１又は請求項２に記載のロール製品用プロテクターを内容とする。
【００１０】
本発明の請求項４に係る発明は、脚部が略等間隔に突設されていることを特徴とする請求項１〜３のいずれか１項に記載のロール製品用プロテクターを内容とする。
【００１１】
本発明の請求項５に係る発明は、帯状製品が電池用セパレートフィルムである請求項１〜４のいずれか１項に記載のロール製品用プロテクターを内容とする。
【発明の効果】
【００１２】
本発明のロール製品用プロテクターは、立体的なロール製品支持用円筒部に代えて平面的な支持孔部を採用するとともに、挿入可能な筒状の脚部に代えて傾斜した斜面板を採用したことにより、構造が簡単で軽量化が図られ、更に、脚部が基板部の外周方向に傾斜した斜面板からなるため、不使用時にこのプロテクターを重ねても脚部が邪魔にならずコンパクトに積み重ねができ、従って、取り扱い性が良好で、輸送や保管にも小さなスペースでよく、輸送効率、保管効率が向上する。
【００１３】
また、脚部の側縁と基板部の辺縁とを同一平面上に形成して、自立可能であるように構成すれば、このプロテクターをロール製品に装着しやすく、またこのプロテクターが装着されたロール製品が転がりにくくなり、作業性が良く、また、輸送、保管が容易になる。
【００１４】
また、基板部の内面側に実質的に円錐台状又は多角錘台状の膨出部を設けると、この部分に芯材の端部を当接させることにより、帯状製品が巻回された部分とプロテクターの内面との間には膨出部の厚さに相当するスペースが形成され、その結果、帯状製品がプロテクター内面に当接しなくなるので、帯状製品の縁部が折れ曲がったり傷付いたりする恐れがない。
また、基板部の外面側にこの膨出部を受容するための受容部を設ければ、不使用時にこのプロテクターを積み重ねるときに、膨出部が受容部に嵌まり込むため邪魔にならず、従って、嵩張らずにコンパクトに積み重ねることができる。
【００１５】
また、脚部が略等間隔に突設することにより、シュリンクフィルムでの被包やバンド掛けが容易となる。
【００１６】
本発明のロール製品用プロテクターは、上記のように構成したことにより帯状製品表面が打撃や擦れ等から保護されるので、打撃や擦れ等の損傷からの保護が高度に要求される帯状製品、例えば電池用セパレートフィルム等に特に好適である。
【図面の簡単な説明】
【００１７】
【図１】（ａ）は本発明のプロテクターの実施例を示す平面図であり、（ｂ）はその側面図である。
【図２】図１のプロテクターの使用例を示す断面図である。
【図３】図１のプロテクターを装着したロール製品を段積みした状態を示す側面図である。
【図４】図３において段積みしたロール製品を更に横に並列した状態を示す正面図である。
【図５】図１のプロテクターを積み重ねた状態を示す概略図である。
【図６】（ａ）は図１（ａ）の部分拡大平面図であり、（ｂ）は（ａ）のＡ−Ａ断面図である。
【図７】（ａ）は図１（ｂ）の部分拡大側面図であり、（ｂ）は（ａ）のＢ−Ｂ断面図である。
【図８】図１のプロテクターを自立させた状態を示す概略図である。
【図９】本発明のプロテクターの他の実施例を示す平面図である。
【図１０】図９のＣ−Ｃ断面図である。
【図１１】図９のプロテクターの使用例を示す断面図である。
【図１２】図９のプロテクターの他の使用例を示す断面図である。
【図１３】（ａ）は補強リブを設けたプロテクターの底面図、（ｂ）はＤ−Ｄ断面図である。
【図１４】従来のプロテクターを装着したロール製品を示す概略図である。
【発明を実施するための形態】
【００１８】
本発明のロール製品用プロテクターは、図１、図２に示すように、帯状製品Ｒ１を芯材Ｒ２に巻回してなるロール製品Ｒを輸送、保管するためのプロテクター１であって、前記ロール製品Ｒの端面を覆って保護する略円形又は略正多角形（図１では略正８角形）の基板部２と、該基板部２の中心付近に前記ロール製品Ｒの芯材Ｒ２を挿入可能に穿設された支持孔部３と、前記基板部２の周縁部に内面側に突設された脚部４からなり、前記脚部４は基板部２の外周方向に傾斜した斜面板からなることを特徴とする。
【００１９】
本発明において、基板部２の中心付近には支持孔部３が穿設されている。この支持孔部にはロール製品Ｒの芯材Ｒ２又は後述の支持部材が挿入され、これにより、例えば図２に示すように、ロール製品Ｒはその両端部から突出する芯材Ｒ２を前記支持孔部３により支持・懸吊されるのでロール製品Ｒの周面が机や床面等に接触したり擦れることによる損傷が防止されるとともに、またロール製品Ｒの端面が基板部２により覆われるので端面の傷付きも防止される。
【００２０】
基板部２は平面視で略円形又は略正多角形の板状体であり、円筒状のロール製品Ｒの端面を覆うためのもので、好ましくは平面視で略正方形状又は略正５〜８角形とされる。このような形状とすることにより、プロテクター１が装着されたロール製品Ｒを水平に机や床面に置いても転がりにくく扱いやすい。更に好ましくは略正方形、略正６角形、正８角形とされ、この場合はプロテクターが装着されたロール製品Ｒを水平に置いた際に、基板部２の上側になる辺も水平になるため、図３に示すように、ロール製品Ｒを垂直方向に段積みし易くなる。特に好ましくは、略正方形、略正８角形とされ、この場合は水平に置いた際に両横側になる辺が垂直になるので、図４に示すように、隙間なく並列させることができるので、例えば段ボール箱等にも効率良く収納することができる。
【００２１】
基板部２の周縁部にはその内面側、即ちロール製品Ｒに装着したときにロール製品側になる面の方向に脚部４が突設されるが、本発明において、脚部４は基板部２の外周方向に傾斜した斜面板からなることを特徴とする。これにより、不使用時において該プロテクター１を積み重ねた場合でも、図５に示すように、下方に置いたプロテクター１の脚部４は上方に積み重ねたプロテクター１の脚部４の下にそっくり入り込むので、極めてコンパクトに積み重ねることが可能となり、輸送や保管に必要なスペースが小さくなり、輸送効率や保管効率が格段に向上する。
【００２２】
なお、本発明において斜面板は、積み重ね可能な態様で斜方に延設された板状体であれば特に限定されず、例えば、平板状、円弧状などに屈曲された曲面板状、折り曲げ板状であってもよく、また２枚以上の斜面板を組み合わせてひとつの脚部としてもよい。強度の面からは、円弧状、曲面板状、折り曲げ板状等のものが好ましい。脚部４の一例として、図１で示した実施例における脚部４（折り曲げ板状の斜面板が採用されている）を図６、図７に詳細に示す。図６は図１（ａ）における脚部４の部分を拡大した図及びそのＡ−Ａ断面図、図７は図１（ｂ）における脚部４の部分を拡大した側面図及びそのＢ−Ｂ断面図である。
この脚部４は、該プロテクター１が装着されたロール製品Ｒを段積み等する場合、他のロール製品Ｒの置き位置が少々ずれても該プロテクター１の周縁部が他のロール製品Ｒの周面に当接して帯状製品を傷付けるのを防止する役割も果たす。
脚部４の数や配置は特に制限されないが、基板部２が多角形の場合は、各角部にそれぞれ脚部４を設けるのが好ましく、また該脚部４を等間隔に配置することにより、シュリンクフィルムでの被包やバンド掛けが容易となるので好ましい。
【００２３】
本発明において、基板部２の形状が平面視で略正方形、略正５〜８角形のいずれかである場合、脚部４を基板部２の角部から突設するとともに、脚部の側縁４ａと基板部の辺縁２ａとが同一平面上になるよう形成すれば、図８に記載されるように、前記同一平面状にある脚部の側縁４ａと基板部の辺縁２ａとが所定の角度を挟んで接地することにより自立可能となり、作業性を大幅に向上させることができる。
【００２４】
なお、図１において、２ｃは透孔であり、プロテクター１を軽量化するとともに樹脂の量を少なくできるので、安価にプロテクターを提供することができる。透孔の形状は特に制限されず、円形、楕円形、多角形等のいずれでもよい。また、透孔の数も特に制限されず、ロール製品の重量等を勘案して必要な強度が保持されるように適宜決定すればよい。
【００２５】
本発明においては、図９、図１０に示すように、基板部２の内面側に膨出部５を設けることもできる。これは例えば図１１に示すように、帯状製品Ｒ１が巻回された芯材Ｒ２の中空部分に支持部材７を挿通するとともに支持部材７の端部をプロテクター１の支持孔部３に挿入し、複数個（図１１に示した例では３個）のロール製品Ｒをまとめて保護するのに適したプロテクター１である。なお、各ロール製品Ｒの間にはクッション材Ｒ３が介設され、ロール製品Ｒ同士の衝突による帯状製品Ｒ１の損傷が防止される。
このようなプロテクター１によると、芯材Ｒ２の部分が膨出部５に当接し、帯状製品Ｒ１を巻回した部分と基板部２の内面との間には膨出部５の厚さに相当するスペースが形成され、その結果、帯状製品Ｒ１が基板部２の内面には当接しないため、たとえ一対のプロテクター１、１の間をバンド（図示せず）等で緊締してもロール製品Ｒの端部が基板部２に強く押圧されるような心配はなく、従って、帯状製品Ｒ１の縁が傷付いたり折れ曲がったりするのを防止できる。膨出部５の高さはプロテクター１のサイズや使用する材質の撓み、ロール製品のサイズ等により一概に規定できないが、通常、５〜２０ｍｍ程度が好適である。
【００２６】
幅広の帯状製品Ｒ１を巻回したロール製品Ｒを保護するため、例えば図１２に示すように、円筒部材の端部に鍔部を周設したハット状の支持部材７を支持孔部３から芯材Ｒ２の中空孔に嵌入してロール製品Ｒを固定することにより使用することもできる。
【００２７】
このような膨出部５を設けたプロテクター１は、不使用時に該プロテクター１を積み重ねる際、膨出部５が基板部２の外面側と当接すると膨出部５の厚さの分だけ嵩高くなってしまうため、図１０に示したように、これを防ぐため基板部２の外面側には、この膨出部５を受容することができる受容部６を設けるのが好ましい。
【００２８】
また、膨出部５の形状が柱状、即ち、下面と上面の形状や大きさがほぼ等しい場合にこの膨出部５とほぼ同じ形状の受容部６を設けると、膨出部５の立ち上がり部分で基板部２が薄くなり、破損しやすくなるので、膨出部５及び受容部６内部の形状を実質的に円錐台状又は多角錘台状、即ち、立ち上げ部分が斜面状とするほうが好ましい。
【００２９】
基板部２の内面形状については、図２に示したような、芯材Ｒ２に直接、帯状製品Ｒ１を巻回したロール製品Ｒに対して使用するプロテクター１の場合は、基板部２の内面に直接ロール製品Ｒの端面、即ち、帯状製品Ｒ１の縁部が当接するので、これを傷付けないよう、滑らかな平面状とするほうが好ましく、必要に応じ、クッション性のシートを設けることも好ましい。一方、図１１や図１２に示したような、帯状製品Ｒ１を巻回したロール製品Ｒが直接基板部２の内面に接しない状態で使用するプロテクター１の場合は、基板部２の内面の形状は特に限定されず、例えば補強リブ等を設けることもできる。
【００３０】
一方、基板部２の外面形状については特に限定されないが、プロテクター１を軽量化し且つ強度を確保するために、例えば図１３に示すように、補強リブ２ｂを設けるのが好ましい。補強リブ２ｂの設け方は特に制限されない。尚、図１３は図９で示した膨出部５を設けたプロテクターにリブを設けた例を示したが、図１で示したような、膨出部５を設けていないプロテクターに設けてもよいことは云うまでもない。
【００３１】
本発明においては、基板部２の周縁部の外側面にバンド溝（図示せず）を設けることもできる。バンド溝を設けると、ロール製品にプロテクターを装着した状態で、このバンド溝にバンドを通してプロテクター及びロール製品の全体を縛ることにより、プロテクター１がロール製品Ｒから不用意に外れるような恐れがなくなり、輸送や保管中の荷崩れ等のトラブルを防止することができる。
また、バンドをかける代わりに、全体をシュリンクフィルム等（図示せず）で包むこともでき、更に、バンドとシュリンクフィルムの両方を併用することも可能である。
【００３２】
本発明のロール製品用プロテクター１を構成する硬質合成樹脂としては十分な強度を有する限り特に限定されないが、ＡＢＳ、ＡＡＳ、ＡＥＳ、ＡＳ、ＰＳ、ＰＭＭＡ、ＰＶＣ、ＰＡ、ＰＰ、ＰＥ、ＰＢＴ、ＰＥＴなどが例示できる。
【００３３】
本発明のロール製品用プロテクターが適用される帯状製品は特に制限されず、プラスチックフィルム、プラスチックシート、紙、布等が挙げられるが、特に、打撃や擦れ等からの保護が高度に要求される電池用セパレートフィルム等に有用である。
【産業上の利用可能性】
【００３４】
叙上のとおり、本発明のロール製品用プロテクターは、構造が簡単で軽量であり、更に、不使用時にはこれを積み重ねても嵩張らず、コンパクトに積み重ねができるので、取り扱い性が良好であり、更に、輸送や保管に広大なスペースを必要としないので、輸送効率、保管効率を大巾に高めることができ、その有用性は頗る大である。
【符号の説明】
【００３５】
１  プロテクター
２  基板部
２ａ  辺縁
２ｂ  補強リブ
２ｃ  透孔
３  支持孔部
４  脚部
４ａ  側縁
５  膨出部
６  受容部
７  支持部材
Ｒ  ロール製品
Ｒ１  帯状製品
Ｒ２  芯材
Ｒ３  クッション材
Ｐ  従来のプロテクター
Ｐ１  側板
Ｐ２  ハット型支軸
Ｂ  バンド
【図１】
2010241495.tif 000003
【図２】
2010241495.tif 000004
【図３】
2010241495.tif 000005
【図４】
2010241495.tif 000006
【図５】
2010241495.tif 000007
【図６】
2010241495.tif 000008
【図７】
2010241495.tif 000009
【図８】
2010241495.tif 000010
【図９】
2010241495.tif 000011
【図１０】
2010241495.tif 000012
【図１１】
2010241495.tif 000013
【図１２】
2010241495.tif 000014
【図１３】
2010241495.tif 000015
【図１４】
2010241495.tif 000016